(57)【要約】【課題】内側挟持部と外側挟持部に対してフィルタ部材が位置ずれすることを抑制できる技術を提供する。【解決手段】内側挟持部は、袋状部材の内側からフィルタ部材に向かって突出する少なくとも１個の内側凸部を備えていてもよい。外側挟持部は、前記袋状部材の外側から前記フィルタ部材に向かって突出する少なくとも１個の外側凸部を備えていてもよい。前記内側挟持部と前記外側挟持部の間に前記フィルタ部材が挟持されている状態で、前記内側挟持部と前記フィルタ部材と前記外側挟持部が重なる方向において前記内側凸部と前記外側凸部が前記フィルタ部材に押し付けられてもよい。【選択図】図１
2020180608.tif 000002
【特許請求の範囲】
【請求項１】
開口部を有するシート状のフィルタ部材が袋状にされてなる袋状部材と、
前記袋状部材の内側に配置されて前記フィルタ部材を支持する内側支持部材と、
前記袋状部材の外側に配置されており、前記フィルタ部材の前記開口部を介して前記内側支持部材に接続されている外側接続部材と、を備えており、
前記内側支持部材は、前記袋状部材の内側から前記開口部の周囲の前記フィルタ部材に接する内側挟持部を備えており、
前記外側接続部材は、前記袋状部材の外側から前記開口部の周囲の前記フィルタ部材に接する外側挟持部を備えており、
前記内側挟持部と前記外側挟持部の間に前記フィルタ部材が挟持されている燃料フィルタであって、
前記内側挟持部は、前記袋状部材の内側から前記フィルタ部材に向かって突出する少なくとも１個の内側凸部を備えており、
前記外側挟持部は、前記袋状部材の外側から前記フィルタ部材に向かって突出する少なくとも１個の外側凸部を備えており、
前記内側挟持部と前記外側挟持部の間に前記フィルタ部材が挟持されている状態で、前記内側挟持部と前記フィルタ部材と前記外側挟持部が重なる方向において前記内側凸部と前記外側凸部が前記フィルタ部材に押し付けられている、燃料フィルタ。
【請求項２】
請求項１に記載の燃料フィルタであって、
前記内側挟持部は、間隔をあけて並んで配置されている複数の前記内側凸部を備えており、かつ／または、
前記外側挟持部は、間隔をあけて並んで配置されている複数の前記外側凸部を備えている、燃料フィルタ。
【請求項３】
請求項１又は２に記載の燃料フィルタであって、
前記内側凸部と前記外側凸部は、前記内側挟持部と前記フィルタ部材と前記外側挟持部が重なる方向において互いに重ならないように配置されている、燃料フィルタ。
【請求項４】
請求項２又は３に記載の燃料フィルタであって、
隣り合っている前記外側凸部と前記外側凸部の間に少なくとも１個の前記内側凸部が位置しており、かつ／または、
隣り合っている前記内側凸部と前記内側凸部の間に少なくとも１個の前記外側凸部が位置している、燃料フィルタ。
【請求項５】
請求項１から４のいずれか一項に記載の燃料フィルタであって、
前記内側凸部が所定の方向に線状に延びている、かつ／または、
前記外側凸部が所定の方向に線状に延びている、燃料フィルタ。
【請求項６】
請求項１から５のいずれか一項に記載の燃料フィルタであって、
前記内側挟持部は、その周方向に間隔をあけて並んで配置されている複数の前記内側凸部を備えており、
前記外側挟持部は、その周方向に間隔をあけて並んで配置されている複数の前記外側凸部を備えており、
前記内側挟持部と前記フィルタ部材と前記外側挟持部が重なる方向に視たときに、前記内側挟持部の周方向に隣り合っている前記外側凸部と前記外側凸部の間に少なくとも１個の前記内側凸部が位置しており、前記外側挟持部の周方向に隣り合っている前記内側凸部と前記内側凸部の間に少なくとも１個の前記外側凸部が位置している、燃料フィルタ。
【発明の詳細な説明】
【技術分野】
【０００１】
本明細書に開示する技術は、燃料フィルタに関する。
【背景技術】
【０００２】
特許文献１に燃料フィルタが開示されている。特許文献１の燃料フィルタは、開口部を有するシート状のフィルタ部材が袋状にされてなる袋状部材と、袋状部材の内側に配置されてフィルタ部材を支持する内側支持部材と、袋状部材の外側に配置されており、フィルタ部材の開口部を介して内側支持部材に接続されている外側接続部材と、を備えている。内側支持部材は、袋状部材の内側からフィルタ部材の開口部の周囲のフィルタ部材に接する内側挟持部を備えている。外側接続部材は、袋状部材の外側からフィルタ部材の開口部の周囲のフィルタ部材に接する外側挟持部を備えている。内側支持部材の内側挟持部と外側接続部材の外側挟持部との間にフィルタ部材が挟持されている。内側挟持部は、袋状部材の内側からフィルタ部材に向かって突出する１個の環状凸部を備えている。内側挟持部と外側挟持部によってフィルタ部材が挟持されている状態で環状凸部がフィルタ部材に押し付けられている。
【先行技術文献】
【特許文献】
【０００３】
【特許文献１】特開２０１８−１２７９２３号公報
【発明の概要】
【発明が解決しようとする課題】
【０００４】
特許文献１のフィルタ部材では、内側挟持部と外側挟持部によってフィルタ部材が挟持されているものの、フィルタ部材を挟持する力が弱く、内側挟持部と外側挟持部に対してフィルタ部材が位置ずれすることがあった。例えば、内側挟持部と外側挟持部に対してフィルタ部材が回転してしまうことがあった。そこで本明細書は、内側挟持部と外側挟持部に対してフィルタ部材が位置ずれすることを抑制できる技術を提供する。
【課題を解決するための手段】
【０００５】
本明細書に開示する燃料フィルタは、開口部を有するシート状のフィルタ部材が袋状にされてなる袋状部材と、前記袋状部材の内側に配置されて前記フィルタ部材を支持する内側支持部材と、前記袋状部材の外側に配置されており、前記フィルタ部材の前記開口部を介して前記内側支持部材に接続されている外側接続部材と、を備えていてもよい。前記内側支持部材は、前記袋状部材の内側から前記開口部の周囲の前記フィルタ部材に接する内側挟持部を備えていてもよい。前記外側接続部材は、前記袋状部材の外側から前記開口部の周囲の前記フィルタ部材に接する外側挟持部を備えていてもよい。前記内側挟持部と前記外側挟持部の間に前記フィルタ部材が挟持されていてもよい。前記内側挟持部は、前記袋状部材の内側から前記フィルタ部材に向かって突出する少なくとも１個の内側凸部を備えていてもよい。前記外側挟持部は、前記袋状部材の外側から前記フィルタ部材に向かって突出する少なくとも１個の外側凸部を備えていてもよい。前記内側挟持部と前記外側挟持部の間に前記フィルタ部材が挟持されている状態で、前記内側挟持部と前記フィルタ部材と前記外側挟持部が重なる方向において前記内側凸部と前記外側凸部が前記フィルタ部材に押し付けられてもよい。
【０００６】
この構成によれば、内側挟持部と外側挟持部の間にフィルタ部材が挟持されている状態で内側凸部と外側凸部がフィルタ部材に押し付けられるので、袋状部材の内側と外側からフィルタ部材を強固に挟持することができる。そのため、内側挟持部と外側挟持部に対してフィルタ部材が位置ずれすることを抑制できる。
【０００７】
前記内側挟持部は、間隔をあけて並んで配置されている複数の前記内側凸部を備えていてもよい。かつ／または、前記外側挟持部は、間隔をあけて並んで配置されている複数の前記外側凸部を備えていてもよい。この構成によれば、袋状部材の内側と外側からフィルタ部材を強固に挟持することができる。
【０００８】
前記内側凸部と前記外側凸部は、前記内側挟持部と前記フィルタ部材と前記外側挟持部が重なる方向において互いに重ならないように配置されていてもよい。この構成によれば、内側凸部と外側凸部がフィルタ部材により強く押し付けられる。そのため、フィルタ部材を強固に挟持することができる。
【０００９】
隣り合っている前記外側凸部と前記外側凸部の間に少なくとも１個の前記内側凸部が位置していてもよい。かつ／または、隣り合っている前記内側凸部と前記内側凸部の間に少なくとも１個の前記外側凸部が位置していてもよい。この構成によれば、外側凸部と外側凸部の間に内側凸部が入り込むのでフィルタ部材を強固に挟持することができる。同様に内側凸部と内側凸部の間にフィルタ部材が入り込むのでフィルタ部材を強固に挟持することができる。
【００１０】
前記内側凸部が所定の方向に線状に延びていてもよい。かつ／または、前記外側凸部が所定の方向に線状に延びていてもよい。この構成によれば、内側凸部がフィルタ部材に接触する領域が広くなるので、フィルタ部材を強固に挟持することができる。同様に、外側凸部がフィルタ部材に接触する領域が広くなるので、フィルタ部材を強固に挟持することができる。
【００１１】
前記内側挟持部は、その周方向に間隔をあけて並んで配置されている複数の前記内側凸部を備えていてもよい。前記外側挟持部は、その周方向に間隔をあけて並んで配置されている複数の前記外側凸部を備えていてもよい。前記内側挟持部と前記フィルタ部材と前記外側挟持部が重なる方向に視たときに、前記内側挟持部の周方向に隣り合っている前記外側凸部と前記外側凸部の間に少なくとも１個の前記内側凸部が位置しており、前記外側挟持部の周方向に隣り合っている前記内側凸部と前記内側凸部の間に少なくとも１個の前記外側凸部が位置していてもよい。この構成によれば、周方向に交互に配置されている内側凸部と外側凸部によってフィルタ部材を強固に挟持することができるので、内側挟持部と外側挟持部に対してフィルタ部材が回転することを抑制できる。
【図面の簡単な説明】
【００１２】
【図１】実施例に係る燃料フィルタの断面図である。
【図２】図１のII−II断面図である。
【図３】実施例に係る内側支持部材の斜視図である。
【図４】図１の要部IVの拡大図である。
【図５】実施例に係る外側接続部材の斜視図である。
【図６】他の実施例に係る内側支持部材の斜視図である。
【図７】他の実施例に係る内側支持部材の斜視図である。
【図８】他の実施例に係る燃料フィルタの上記図４に対応する図である。
【図９】他の実施例に係る燃料フィルタの内側凸部の位置と外側凸部の位置を模式的に示す図である。
【図１０】他の実施例に係る燃料フィルタの上記図４に対応する図である。
【発明を実施するための形態】
【００１３】
実施例に係る燃料フィルタ１について図面を参照して説明する。図１及び図２に示すように、燃料フィルタ１は、袋状部材３と、袋状部材３の内側に配置されている内側支持部材４と、袋状部材３の外側に配置されている外側接続部材５とを備えている。この燃料フィルタ１は、燃料を収容する燃料タンク（図示省略）内に配置される。燃料フィルタ１は、燃料タンク内に収容されている燃料に浸漬する。燃料フィルタ１は、燃料タンク内に収容されている燃料が燃料ポンプ（図示省略）に供給されるときに、その燃料に含まれている異物を除去する。燃料タンク内に収容されている燃料は、例えばガソリンである。
【００１４】
袋状部材３は、シート状の上側フィルタ部材３１と、シート状の下側フィルタ部材３２とを備えている。袋状部材３は、上側フィルタ部材３１と下側フィルタ部材３２から作製されている。上側フィルタ部材３１と下側フィルタ部材３２が結合されて袋状にされることによって袋状部材３が作製されている。上側フィルタ部材３１の周縁部３１１と下側フィルタ部材３２の周縁部３２１とが例えば溶着によって結合されている。上側フィルタ部材３１と下側フィルタ部材３２は、例えば不織布から作製されている。各フィルタ部材３１、３２は、各フィルタ部材３１、３２を通過する燃料に含まれている異物を除去することができる。
【００１５】
上側フィルタ部材３１には１個の開口部２１が形成されている。開口部２１は上側フィルタ部材３１を貫通している。開口部２１を介して袋状部材３の内側と外側が連通している。袋状部材３の内側には燃料が流通可能な空間が形成されている。
【００１６】
内側支持部材４は、袋状部材３の内側において燃料が流通可能な空間が確保されるように上側フィルタ部材３１と下側フィルタ部材３２を支持している。内側支持部材４は、上側フィルタ部材３１と下側フィルタ部材３２の間に配置されている。図３に示すように、内側支持部材４は、内側挟持部４１とフレーム部４２を備えている。
【００１７】
内側挟持部４１の外周は略円形状に形成されている。内側挟持部４１の中央部には挿入孔７１が形成されている。挿入孔７１には後述する挿入部８１が挿入される。内側挟持部４１は一対の係合凸部７２を備えている（図３では一対の係合凸部７２のうちの一方の係合凸部７２のみが示されている。）。一対の係合凸部７２は挿入孔７１の内側に向かって突出している。一対の係合凸部７２は、後述する一対の係合凹部８２と係合する。
【００１８】
内側挟持部４１は、内側接触面７３と、１個の環状凸部７４と、複数の内側凸部７５とを更に備えている。内側接触面７３は、挿入孔７１の周囲に配置されている。環状凸部７４は、内側接触面７３の周囲に配置されている。複数の内側凸部７５は、環状凸部７４の径方向の内側に配置されている。
【００１９】
図１及び図４に示すように、内側接触面７３は、内側挟持部４１が袋状部材３の内側に配置されている状態で上側フィルタ部材３１と向かい合っている。内側接触面７３は、袋状部材３の内側から上側フィルタ部材３１に接触する。内側接触面７３は、上側フィルタ部材３１の開口部２１の周囲において上側フィルタ部材３１に接触する。環状凸部７４は、内側接触面７３の周囲において上側フィルタ部材３１に向かって突出している。環状凸部７４は、袋状部材３の内側から上側フィルタ部材３１に接触する。環状凸部７４の先端部が上側フィルタ部材３１に押し付けられる。環状凸部７４は、上側フィルタ部材３１の開口部２１の周囲において上側フィルタ部材３１に押し付けられる。環状凸部７４は、上側フィルタ部材３１を後述する外側接触面８３に押し付けることによってシールを行っている。
【００２０】
複数の内側凸部７５は、環状凸部７４よりもその径方向の内側において上側フィルタ部材３１に向かって突出している。複数の内側凸部７５は内側接触面７３から上方に向かって突出している。複数の内側凸部７５は、袋状部材３の内側から上側フィルタ部材３１に接触する。内側挟持部４１と上側フィルタ部材３１が重なる方向（Ｚ方向）において、各内側凸部７５の各先端部が上側フィルタ部材３１に押し付けられる。各内側凸部７５は、上側フィルタ部材３１の開口部２１の周囲において上側フィルタ部材３１に押し付けられる。
【００２１】
図３に示すように、複数の内側凸部７５は、挿入孔７１の周囲に配置されている。複数の内側凸部７５は、内側挟持部４１の周方向（所定の方向の一例）に沿って間隔をあけて並んで配置されている。各内側凸部７５は湾曲状に形成されている。各内側凸部７５は、内側挟持部４１の周方向に沿って線状に延びている。内側挟持部４１の周方向における各内側凸部７５の長さＰ１は、内側挟持部４１の径方向における各内側凸部７５の長さＰ２よりも長い。
【００２２】
内側支持部材４のフレーム部４２は、内側挟持部４１に固定されている。フレーム部４２は、上側フィルタ部材３１と下側フィルタ部材３２に沿って延びている（図１参照）。フレーム部４２は、複数の縦部材４８と複数の横部材４９を備えている。フレーム部４２は、複数の縦部材４８と複数の横部材４９が格子状に組み合わされることによって形成されている。縦部材４８と横部材４９のそれぞれには、袋状部材３の内側における燃料が流通可能な溝部４７が形成されている。
【００２３】
図１及び図２に示すように、外側接続部材５は、内側支持部材４に接続されている。外側接続部材５には燃料流路５４が形成されている。燃料流路５４の一端部は袋状部材３の内側に接続されている。袋状部材３の内側から燃料流路５４を通じて燃料ポンプに燃料が供給される。外側接続部材５は、外側挟持部５１と、筒部５２と、ポンプ接続部５３を備えている。
【００２４】
図５に示すように、外側挟持部５１の外周は略円形状に形成されている。外側挟持部５１の中央部には流入孔８６が形成されている。流入孔８６は、上述した燃料流路５４の一端部を構成している。袋状部材３の内側から流入孔８６を通じて燃料流路５４に燃料が流入する。
【００２５】
外側挟持部５１は、一対の挿入部８１を備えている。一対の挿入部８１は、下方に向かって突出している。一対の挿入部８１は、上述した上側フィルタ部材３１の開口部２１に挿入される。また、一対の挿入部８１は、上述した内側挟持部４１の挿入孔７１に挿入される。一対の挿入部８１は、開口部２１を介して挿入孔７１に挿入される。各挿入部８１には、係合凹部８２が形成されている。各係合凹部８２は、上述した内側挟持部４１の各係合凸部７２と係合する。外側挟持部５１の一対の挿入部８１が内側挟持部４１の挿入孔７１されている状態で一対の係合凸部７２と一対の係合凹部８２が係合することによって外側接続部材５が内側支持部材４に接続される。外側接続部材５と内側支持部材４の間に上側フィルタ部材３１が挟持される。外側接続部材５は、上側フィルタ部材３１の開口部２１を介して内側支持部材４に接続される。
【００２６】
外側挟持部５１は、外側接触面８３と、複数の外側凸部８５（複数の湾曲状の外側凸部８５ａ及び複数の点状の外側凸部８５ｂ）とを更に備えている。外側接触面８３と複数の外側凸部８５は、一対の挿入部８１の周囲に配置されている。図１及び図４に示すように、外側接触面８３は、外側接続部材５が内側支持部材４に接続されている状態で上側フィルタ部材３１と向かい合っている。外側接触面８３は、袋状部材３の外側から上側フィルタ部材３１に接触する。外側接触面８３は、上側フィルタ部材３１の開口部２１の周囲において上側フィルタ部材３１に接触する。
【００２７】
複数の外側凸部８５は、上述した環状凸部７４よりもその径方向の内側において上側フィルタ部材３１に向かって突出している。複数の外側凸部８５は外側接触面８３から下方に向かって突出している。複数の外側凸部８５は、袋状部材３の外側から上側フィルタ部材３１に接触する。外側挟持部５１と上側フィルタ部材３１が重なる方向（Ｚ方向）において、各外側凸部８５の各先端部が上側フィルタ部材３１に押し付けられる。各外側凸部８５は、上側フィルタ部材３１の開口部２１の周囲において上側フィルタ部材３１に押し付けられる。
【００２８】
外側凸部８５は、環状凸部７４の径方向において内側凸部７５よりも内側に配置されている。内側挟持部４１と上側フィルタ部材３１と外側挟持部５１が重なる方向（Ｚ方向）において、内側凸部７５と外側凸部８５が互いに重ならないように配置されている。
【００２９】
図５に示すように、複数の外側凸部８５は、外側挟持部５１の周方向に沿って間隔をあけて並んで配置されている。湾曲状の各外側凸部８５ａは、外側挟持部５１の周方向に沿って線状に延びている。外側挟持部５１の周方向における各外側凸部８５ａの長さＬ１は、外側挟持部５１の径方向における各外側凸部８５ａの長さＬ２よりも長い。
【００３０】
筒部５２は、外側挟持部５１に固定されている。筒部５２は、外側挟持部５１とポンプ接続部５３の間に配置されている。ポンプ接続部５３は、筒部５２に固定されている。ポンプ接続部５３は、燃料ポンプ（図示省略）に接続される。燃料ポンプに供給される燃料が筒部５２とポンプ接続部５３を通過する。
【００３１】
上記の構成によれば、燃料ポンプが作動すると燃料タンク内に収容されている燃料が袋状部材３の外側から内側に流入する。袋状部材３の内側に流入した燃料は、外側接続部材５の燃料流路５４を通過して燃料ポンプに供給される。
【００３２】
以上、実施例に係る燃料フィルタ１について説明した。上述した説明から明らかなように、実施例に係る燃料フィルタ１では、内側支持部材４の内側挟持部４１が、袋状部材３の内側から上側フィルタ部材３１に向かって突出する複数の内側凸部７５を備えている。また、外側接続部材５の外側挟持部５１が、袋状部材３の外側から上側フィルタ部材３１に向かって突出する複数の外側凸部８５を備えている。内側挟持部４１と外側挟持部５１の間に上側フィルタ部材３１が挟持されている状態で、内側挟持部４１と上側フィルタ部材３１と外側挟持部５１が重なる方向において複数の内側凸部７５と複数の外側凸部８５が上側フィルタ部材３１に押し付けられている。
【００３３】
この構成によれば、複数の内側凸部７５と複数の外側凸部８５が上側フィルタ部材３１に押し付けられるので、袋状部材３の内側と外側から上側フィルタ部材３１を強固に挟持することができる。そのため、内側挟持部４１と外側挟持部５１に対して上側フィルタ部材３１が位置ずれすることを抑制できる。
【００３４】
また、上記の燃料フィルタ１では、内側凸部７５と外側凸部８５が、内側挟持部４１と上側フィルタ部材３１と外側挟持部５１が重なる方向において互いに重ならないように配置されている。この構成によれば、内側凸部７５の位置と外側凸部８５の位置がずれているので、上側フィルタ部材３１が挟持されたときに、内側凸部７５と外側凸部８５が上側フィルタ部材３１により強く押し付けられる。そのため、上側フィルタ部材３１を強固に挟持することができる。
【００３５】
また、上記の燃料フィルタ１では、内側凸部７５が内側挟持部４１の周方向に沿って線状に延びている。また、外側凸部８５が外側挟持部５１の周方向に沿って線状に延びている。この構成によれば、内側凸部７５が上側フィルタ部材３１に接触する領域が広くなるので、上側フィルタ部材３１を強固に挟持することができる。また、外側凸部８５が上側フィルタ部材３１に接触する領域が広くなるので、上側フィルタ部材３１を強固に挟持することができる。
【００３６】
以上、一実施例について説明したが、具体的な態様は上記実施例に限定されるものではない。以下の説明において、上記の説明における構成と同様の構成については、同一の符号を付して説明を省略する。
【００３７】
（他の実施例）
（１）上記の実施例では、各内側凸部７５が湾曲状に形成されていたが、この構成に限定されるものではない。他の実施例では、図６に示すように、各内側凸部７５が直線状に形成されていてもよい。
【００３８】
（２）他の実施例では、図７に示すように、各内側凸部７５が点状に形成されていてもよい。また、湾曲状の内側凸部７５と点状の内側凸部７５とが設けられていてもよい。各内側凸部７５の形状は特に限定されるものではない。また、複数の内側凸部７５がランダムに配置されていてもよい。
【００３９】
（３）上記の実施例では、各内側凸部７５が内側挟持部４１の周方向に沿って延びていたが、この構成に限定されるものではない。例えば、各内側凸部７５が内側挟持部４１の周方向に直交する方向に延びていてもよい。また、湾曲状の外側凸部８５ａについても同様である。例えば、各外側凸部８５が外側挟持部５１の周方向に直交する方向に延びていてもよい。
【００４０】
（４）他の実施例では、図８に示すように、環状凸部７４の径方向において隣り合っている内側凸部７５と内側凸部７５の間に１個の外側凸部８５が配置されていてもよい。また、内側凸部７５と内側凸部７５の間に複数の外側凸部８５（図示省略）が配置されていてもよい。
【００４１】
また、環状凸部７４の径方向において隣り合っている外側凸部８５と外側凸部８５の間に１個の内側凸部７５が配置されていてもよい。また、外側凸部８５と外側凸部８５の間に複数の内側凸部７５（図示省略）が配置されていてもよい。
【００４２】
この構成によれば、内側挟持部４１と外側挟持部５１によって上側フィルタ部材３１が挟持されたときに、内側凸部７５と内側凸部７５の間に外側凸部８５が入り込むので、上側フィルタ部材３１を強固に挟持することができる。また、外側凸部８５と外側凸部８５の間に内側凸部７５が入り込むので、上側フィルタ部材３１を強固に挟持することができる。
【００４３】
（５）図９は、他の実施例に係る燃料フィルタ１の内側凸部７５の位置と外側凸部８５の位置を模式的に示す図である。図９は、内側挟持部４１と上側フィルタ部材３１と外側挟持部５１が重なる方向（Ｚ方向）に視た図である。図９に示すように、他の実施例では、内側挟持部４１が、その周方向に間隔をあけて並んで配置されている複数の内側凸部７５を備えている。また、外側挟持部５１が、その周方向に間隔をあけて並んで配置されている複数の外側凸部８５を備えている。内側挟持部４１の周方向に隣り合っている内側凸部７５と内側凸部７５の間に１個の外側凸部８５が位置している。また、外側挟持部５１の周方向に隣り合っている外側凸部８５と外側凸部８５の間に１個の内側凸部７５が位置している。内側凸部７５と外側凸部８５が同一円状に交互に並んで配置されている。
【００４４】
図９に示す構成によれば、内側挟持部４１と外側挟持部５１の間に上側フィルタ部材３１が挟持されたときに、周方向に交互に並んでいる内側凸部７５と外側凸部８５によって上側フィルタ部材３１を強固に挟持することができる。内側凸部７５と外側凸部８５が周方向に交互に並んでいることによって、内側挟持部４１と外側挟持部５１に対して上側フィルタ部材３１が回転することを抑制できる。なお、更に他の実施例では、隣り合っている内側凸部７５と内側凸部７５の間に複数個の外側凸部８５が位置していてもよい。また、隣り合っている外側凸部８５と外側凸部８５の間に複数個の内側凸部７５が位置していてもよい。
【００４５】
（６）内側凸部７５の数は限定されるものではない。内側挟持部４１が少なくとも１個の内側凸部７５を備えていればよい。同様に、外側凸部８５の数は限定されるものではない。外側挟持部５１が少なくとも１個の外側凸部８５を備えていればよい。
【００４６】
（７）他の実施例では、図１０に示すように、内側挟持部４１に複数の凹部７９が形成されていてもよい。この場合は、凹部７９に対応する内側凸部７５が内側挟持部４１に形成されている。また、外側挟持部５１に複数の凹部８９が形成されていてもよい。この場合は、凹部８９に対応する外側凸部８５が外側挟持部５１に形成されている。
【００４７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００４８】
１：燃料フィルタ、３：袋状部材、４：内側支持部材、５：外側接続部材、２１：開口部、３１：上側フィルタ部材、３２：下側フィルタ部材、４１：内側挟持部、４２：フレーム部、４８：縦部材、４９：横部材、５１：外側挟持部、５２：筒部、５３：ポンプ接続部、５４：燃料流路、７１：挿入孔、７２：係合凸部、７３：内側接触面、７４：環状凸部、７５：内側凸部、７９：凹部、８１：挿入部、８２：係合凹部、８３：外側接触面、８５：外側凸部、８６：流入孔、８９：凹部
【図１】
2020180608.tif 000003
【図２】
2020180608.tif 000004
【図３】
2020180608.tif 000005
【図４】
2020180608.tif 000006
【図５】
2020180608.tif 000007
【図６】
2020180608.tif 000008
【図７】
2020180608.tif 000009
【図８】
2020180608.tif 000010
【図９】
2020180608.tif 000011
【図１０】
2020180608.tif 000012